(57)【特許請求の範囲】
【請求項１】
後端が開口として構成された内筒部を有する筒状本体と、前記筒状本体の後部外側に設けられたロープ掛け部と、前記筒状本体前部に尖端部が突出するように前記筒状本体の内筒部前部に一体に埋入された打ち込み棒状部とからなるペグを土中に打ち込みまたは土中から引き抜くための補助具であって、
前記ペグの内筒部に挿入され先端が前記打ち込み棒状部の後端に当接しかつ後端が打ち当て部として前記ペグの内筒部開口より突出する棒状本体と、前記棒状本体における前記内筒部開口より突出する後部外側に該棒状本体の軸方向に回動自在に軸支され前記ペグのロープ掛け部に係着するフック部を備えたアーム部材とからなることを特徴とするペグの着脱補助具。
【発明の詳細な説明】
【０００１】
【発明の属する技術分野】
この発明は、タープやテント等の支持ロープを掛着するペグの着脱補助具に関する。
【０００２】
【従来の技術】
添付図面の図８に図示のように、例えばキャンプ等でタープ５０を設営するに際しては、フライシート５１を支柱５２，５２間に広げ、該シート５１の端部に結合したロープＲによって引張して張設する。支柱５２およびシート５１に結合されたロープＲは、あらかじめ土中に打ち込んで固設されたペグ５５のロープ掛け部５６に掛着固定される。
【０００３】
ペグ５５はその頭部にロープ掛け部５６を有し、ハンマーや石によって土中に打ち込まれるものである。近年では、図９に示すペグ５５Ａや、図１０のペグ５５Ｂのように、ペグ本体の形状およびロープ掛着部５６Ａ，５６Ｂにおいて多種のものが知られ、また材質も様々である。しかしながら、ペグを打ち込む地面状況は場所によって異なり、固い土中に打ち込む場合には次のような不具合が生じていた。
【０００４】
例えばプラスチック製のペグは軽量で持ち運びは便利であるが、ハンマー等で打ちつけた時にその打ち当て部もしくは先端部が割れることがある。一方、鉄棒製のペグにおいては、割れの問題は少ないが、土中で石などに当たった場合には棒体の中間部に座屈が生じて曲がってしまうことがある。安価であるが、重量が大きくなり持ち運びに不便である。また、軽量な金属としてアルミニウムやチタン合金で作られたペグもあるが、これらは高価である上、やはり打ち込み時に曲がってしまう。さらに、従来のペグは、ロープ掛着部を頭部に有しているおり、その頭部をハンマー等で打ち込む関係で、該掛着部がつぶれたり変形したりすることがある。
【０００５】
上のように、ペグは複数本持ち運びしなければならないものであるために軽量であることが求められ、一方において、頭部や先端部が割れたり、あるいは中間部が変形することのない強度が要求される。また、打ち込み時にロープ掛着部がつぶれたり変形することも避けなければならない。
【０００６】
さらにまた、ペグはその固定力を高めるために、ロープ掛け部付近まで土中深く打ち込まれることがあり、このような場合にはその撤去時の引き抜きの際に抜きにくいという問題がある。
【０００７】
【発明が解決しようとする課題】
この発明は上の点に鑑み提案されたものであって、軽量で持ち運びが容易で、割れや曲がりが生じることなく、容易にかつ確実に土中に打ち込むことができ、ロープ掛着部の損傷も全くない新規な構造のペグのための着脱補助具を提供するものである。
【０００８】
【課題を解決するための手段】
請求項１の発明はペグの着脱補助具に係り、後端が開口として構成された内筒部を有する筒状本体と、前記筒状本体の後部外側に突設されたロープ掛け部と、前記筒状本体前部に尖端部が突出するように前記筒状本体の内筒部前部に一体に埋入された打ち込み棒状部とからなるペグを土中に打ち込みまたは土中から引き抜くための補助具であって、前記ペグの内筒部に挿入され先端が前記打ち込み棒状部の後端に当接しかつ後端が打ち当て部として前記ペグの内筒部開口より突出する棒状本体と、前記棒状本体における前記内筒部開口より突出する後部外側に該棒状本体の軸方向に回動自在に軸支され前記ペグのロープ掛け部に係着するフック部を備えたアーム部材とからなることを特徴とする。
【０００９】
【発明の実施の形態】
以下添付の図面に従ってこの発明を詳細に説明する。
図１はこの発明の着脱補助具が使用されるペグの一実施例を示す断面図、図２はこの発明の着脱補助具の一実施例を示す斜視図、図３は前記補助具によって前記ペグを土中に打ち込む状態を表わす側面図、図４は同じく土中のペグを引抜く状態を表わす側面図、図５はペグの他の実施例を示す正面図、図６は同じくペグの別の実施例を示す正面図、図７はペグの他の用法を示す断面図である。
【００１０】
図１に図示したように、まず、ペグ１０は、筒状本体１１とロープ掛け部１５と打ち込み棒状部２０とからなる。筒状本体１１は、後端が開口１３として構成された内筒部１２を有するもので、実施例では経済性を考慮して鉄パイプよりなる。なお、この筒状本体１１は、後に述べるように、打ち込み荷重がかかる部材ではないので、他の軽量金属あるいはプラスチック等によって形成してもよい。
【００１１】
前記ロープ掛け部１５は、先に図８に関連して説明したように、タープや支柱等に結合されたロープＲを掛着する部分で、前記筒状本体１１の後部の開口１３の外側に突設される。実施例のロープ掛け部１５はフック形状で、筒状本体１１後部の両側に１８０度間隔で２つ設けられている。実施例のようにロープ掛け部１５，１５を形成した場合には、ロープＲの掛着位置の選択幅が大きい。なお、符号１６はロープ掛け部１５のための環状取付部材である。
【００１２】
打ち込み棒状部２０は、鉄等の金属製であることが好ましく、前記筒状本体１１の前部にその尖端部２１が突出するように該内筒部１１前部に一体に埋入されている。符号２２は溶接部を表わす。
【００１３】
上のような構成よりなるペグ１０にあっては、図１の鎖線で示したように、その筒状本体１１の後部の開口１３から内筒部１２内に適宜の金属棒体６０等を挿入し、該棒体６０の後端６１をハンマー等で打叩することによって、内筒部１２前部の打ち込み棒状部２０の尖端部２１より該ペグ１０を土中に打ち込んでいく。図示の棒体６０の後部には大径の打ち当て部６２が設けられているが、特になくてもよい。棒体６０はペグ１０の内筒部１２に案内されてペグ１０先端の打ち込み棒状部２０のみを打圧するので、ペグ１０の軸方向に真っ直ぐかつ効果的に打ち込むことができる。と同時に、ペグ１０の筒状本体１１にはその前後から一切打ち込み荷重がかからず、打圧力による割れ、座屈、変形等が全く生じない。同様に、ロープ掛け部１５は筒状本体１１の後部の外側に設けられているので、損傷や変形を生ずることがない。このようなペグ１０の打ち込みは、次述するような補助具を用いることによって、さらに簡便かつ効率よく行うことができる。
【００１４】
この発明は、上述したペグ１０の土中への打ち込みを行うのみならず、土中へ打ち込んだペグ１０の引き抜きをも行うことができる着脱補助具に関する。図２に図示したように、この発明に係る着脱補助具３０は、前記ペグ１０のための補助具で、棒状本体３１とアーム部材４０とからなる。
【００１５】
棒状本体３１は金属棒体等よりなり、図示のように、前述したペグ１０の内筒部１２内に挿入され、先端が前記打ち込み棒状部２０の後端に当接し、かつ後端が打ち当て部３３として前記ペグ１０の内筒部開口１３より突出するように構成されている。なお、実施例の打ち当て部３３は大径の短円柱部３５に形成されている。
【００１６】
アーム部材４０は、前記棒状本体３１における前記ペグ１０の内筒部開口１３より突出する後部外側に該棒状本体３１の軸方向ａに回動自在に軸支されており、前記ペグ１０のロープ掛け部１５に係着するフック部４５を備えている。実施例のアーム部材４０は、図のように、矩形のアーム本体４１の前部にフック部４５，４５を備え、後部には握り部（ハンドル）４４が形成されている。符号４２は回動軸で、該回動軸４２は前記棒状本体３１の後部の短円柱部３５に穿設された軸孔３９に嵌挿されている。なお、前記フック部４５，４５は、図示のようなもののほか、フック部開口を互い違い方向に向けて、把持力を向上させるようにしてもよい。
【００１７】
この着脱保持具３０は、棒状本体３１をペグ１０の内筒部１２に挿入しアーム部材４０を回動することによって、図３および図４に図示のように、ペグ１０の土中への打ち込み（図３）および土中からの引き抜き（図４）を容易に行なうものである。図３のように、ペグ１０の土中への打ち込みに際しては、着脱保持具３０の棒状本体３１をペグ１０の内筒部１２に挿入し、アーム部材３０を横方向Ｈに回動してペグ１０を所定角度に保持して打ち当て部３３にハンマー（図示せず）等を打ち当ててペグ１０を土中に打ち込む。着脱保持具３０の棒状本体３１はペグ１０の内筒部１２に案内されてペグ１０先端の打ち込み棒状部２０のみを打圧するので、ペグ１０の軸方向に真っ直ぐかつ効果的に打ち込むことができる。作業者はアーム部材３０（実施例ではその握り部４４）を把持するので、ハンマー等の打ち当ての際に安全に作業を行なうことができる。また、ペグ１０の角度保持も容易に行なえる。
【００１８】
一方、図４のように、ペグ１０を土中から引き抜くに際しては、同様に、着脱保持具３０の棒状本体３１をペグ１０の内筒部１２に挿入し、アーム部材４０を上方向Ｖに回動してそのフック部４５をペグ１０のロープ掛け部１５に係着する。そして、図中の矢印Ｐのようにアーム部材４０を上方に引き上げることによって、ペグ１０を土中から引き抜く。この引抜き作業にあっては、着脱保持具３０の棒状本体３１がペグ１０の内筒部１２に挿入されていてその引上げ方向Ｐがペグ１０の軸方向と必ず一致するので、引抜き力を有効に使用できる。のみならず、アーム部材４０のフック部４５がペグ１０のロープ掛け部１５に係着しているので、このアーム部材４０を左右に回動してペグ１０をねじるようにして引き上げれば、さらに効率よく簡単容易に引抜きができる。また、作業も安全に行なうことができる。
【００１９】
図５ないし図７はペグの他の実施例に関する。図５に図示したペグ１０Ａは、筒状本体１１の外側にひれ部１７Ａを設けたものである。このようなひれ部１７Ａを設けたペグ１０Ａにあっては、ペグを打ち込む地面が砂地や沼地のように柔らかい状態である場合にも、該ひれ部１７Ａが抵抗となって抜けにくくなるという作用効果を有する。この他に、図６に示すような螺条のひれ部１７Ｂを形成したペグ１０Ｂも同様の効果を有する。なお、図において、前記実施例と同一符号は同一部材を表す。
【００２０】
また、図７はペグの他の使用例を示すもので、図に示すように、その内筒部１２にパイプ材６５を差し込んで固定させたものである。パイプ材６５としては、タープおよびテントの支柱やその骨組材あるいはその他の支持部材等である。
【００２１】
【発明の効果】
以上図示し説明したように、この発明の着脱補助具が使用されるペグにあっては、筒状本体の前部に打ち込み棒状部を設けたものであるから、従来の金属棒体からなるペグに比してその重量を軽減することができる。また、棒体を用いて該ペグを土中の打ち込み際に、棒体がペグの内筒部に案内されて先端の打ち込み棒状部のみを打圧するので、真っ直ぐかつ効果的に打ち込むことができるのみならず、筒状本体には一切打ち込み荷重がかからず割れ、座屈、変形等が全く生じない。同様に、ロープ掛け部は筒状本体の後部の外側に設けられているので、損傷や変形が生じない。その結果、耐久性にすぐれ長持ちする。
【００２２】
また、この発明のペグの着脱補助具にあっては、上に詳記したように、前記構成に係るペグを効率よく簡単かつ容易にしかも安全に、土中へ打ち込みまたは土中から引き抜くことができる。もちろん１つの補助具によって多数のペグに使用できる。このように、この発明のペグの着脱補助具は、この種テントやタープの設営作業を画期的に改善するものである。
【図面の簡単な説明】
【図１】  この発明の着脱補助具が使用されるペグの一実施例を示す断面図である。
【図２】  この発明の着脱補助具の一実施例を示す斜視図である。
【図３】  前記補助具によって前記ペグを土中に打ち込む状態を表わす側面図である。
【図４】  同じく土中のペグを引抜く状態を表わす側面図である。
【図５】  ペグの他の実施例を示す正面図である。
【図６】  同じくペグの別の実施例を示す正面図である。
【図７】  ペグの他の用法を示す断面図である。
【図８】  一般的なタープの設営状態を示す斜視図である。
【図９】  従来のペグの一例を示す斜視図である。
【図１０】  同じく他の例を示す斜視図である。
【符号の説明】
１０  ペグ
１１  筒状本体
１２  内筒部
１３  開口
１５  ロープ掛け部
２０  打ち込み棒状部
２１  尖端部
３０  着脱補助具
３１  棒状本体
３３  打ち当て部
３９  軸孔
４０  アーム部材
４２  回動軸
４５  フック部
【図１】
0003937366.tif 000002
【図２】
0003937366.tif 000003
【図３】
0003937366.tif 000004
【図４】
0003937366.tif 000005
【図５】
0003937366.tif 000006
【図６】
0003937366.tif 000007
【図７】
0003937366.tif 000008
【図８】
0003937366.tif 000009
【図９】
0003937366.tif 000010
【図１０】
0003937366.tif 000011